(57)【要約】【課題】巻上機を大容量化する際にも昇降路の寸法を増加させる必要がなく、かつ巻き上げロープによって乗りかごを懸架する位置を自在に選択することが可能なエレベータを提供する。【解決手段】その回転軸が上下方向に延びるように巻上機１０を配設するので、巻上機１０を大容量化する際に巻上機１０の軸線方向寸法が大きくなっても、昇降路の寸法を増加させる必要がない。また、巻上機１０の駆動軸１０ａが上下方向に延びるので、昇降路の水平断面図で見たときに巻上機が占める面積が大幅に小さくなるから、巻上機１０を配設する位置の自由度が高まり、巻き上げロープ１４によって乗りかご３を懸架する位置を自在に選択することが可能となる。【選択図】　図１
2004018170.tif 000002
【特許請求の範囲】
【請求項１】
昇降路内を昇降する乗りかごと、
トラクションシーブを有し、このトラクションシーブのシーブ面が水平に配置され、前記乗りかごを昇降させる為の駆動力を発する前記昇降路内に設けられた巻上機と、
前記乗りかごの一側面側に、前記乗りかごと離間して配置される釣合錘と、
巻上機に懸架され、一端が前記乗りかご側に多端が前記釣合錘側に導かれるロープと、
を備えることを特徴とするマシンルームレスエレベータ。
【請求項２】
前記巻上機は、前記乗りかごが昇降する昇降空間及び昇降路内であってこの昇降空間の延長上の空間と、昇降路壁との間に配置されることを特徴とする請求項１に記載のマシンルームレスエレベータ。
【請求項３】
前記乗りかごの上部若しくは下部にはかご側シーブが設けられることを特徴とする請求項１に記載のマシンルームレスエレベータ。
【請求項４】
前記巻上機は、その軸線方向に細長い形状であることを特徴とする請求項１に記載したマシンルームレスエレベータ。
【請求項５】
前記巻上機の駆動軸は、前記乗りかごもしくは前記釣合錘の昇降方向、または鉛直方向に平行であることを特徴とする請求項１に記載したマシンルームレスエレベータ。
【請求項６】
前記釣合錘の昇降動作を導く釣合錘ガイドレールが設けられ、このレールの頂上部近傍には、少なくとも２つの案内シーブが設けられることを特徴とする請求項１に記載したマシンルームレスエレベータ。
【請求項７】
前記案内シーブの各回転軸は、略同一方向であることを特徴とする請求項６に記載したマシンルームレスエレベータ。
【請求項８】
前記案内シーブの各回転面は、略平行であることを特徴とする請求項６に記載したマシンルームレスエレベータ。
【請求項９】
前記案内シーブは、前記釣合錘側から導かれた前記ロープが懸架される第１案内シーブと、前記乗りかご側から導かれた前記ロープが懸架される第２案内シーブとを有し、
前記トラクションシーブは、前記第１案内シーブからのロープが懸架され第２案内シーブに懸架するように配置されることを特徴とする請求項６に記載したマシンルームレスエレベータ。
【請求項１０】
前記プーリの回転面と、前記トラクションシーブの回転面とは、直交するように配置されることを特徴とする請求項６に記載したマシンルームレスエレベータ。
【請求項１１】
前記釣合錘の上部には前記第１案内シーブからの前記ロープが懸架される錘側シーブが設けられ、この錘側シーブの回転面は、前記釣合錘が前記乗りかごに対向する面と非平行に配置されることを特徴とする請求項１に記載したマシンルームレスエレベータ。
【請求項１２】
前記トラクションシーブの横断面の大きさは、前記釣合錘の厚みと略一致することを特徴とする請求項１に記載したマシンルームレスエレベータ。
【請求項１３】
前記案内シーブは、前記トラクションシーブの横断面の大きさと略一致するように配置されることを特徴とする請求項６に記載したマシンルームレスエレベータ。
【請求項１４】
前記釣合錘および前記巻上機は、前記乗りかごの同一側面側に設けられることを特徴とする請求項１または２に記載したマシンルームレスエレベータ。
【請求項１５】
前記巻上機の外径は、前記トラクションシーブの外径と、略一致することを特徴とする請求項１に記載したマシンルームレスエレベータ。
【請求項１６】
前記巻上機は、前記昇降路壁もしくは前記釣合錘の昇降を導く釣合錘ガイドレールもしくは前記乗りかごの昇降を導く乗りかごガイドレールの何れかに直接、もしくは間接的に支持されることを特徴とする請求項１に記載したマシンルームレスエレベータ。
【請求項１７】
前記トラクションシーブの回転面が、前記昇降路の天井面と対向するように配置されることを特徴とする請求項１に記載したマシンルームレスエレベータ。
【請求項１８】
前記トラクションシーブの面高さが、前記案内シーブの上端部よりも低く配置されることを特徴とする請求項１に記載したエレベータ。
【発明の詳細な説明】
【０００１】
【発明の属する技術分野】
本発明は、昇降路の頂部に機械室を持たないマシンルームレスエレベータに関する。
【０００２】
【従来の技術】
従来、建物内の空間を効率良く利用するとともに日照権等の問題を回避するために、昇降路の頂部に機械室を持たない、いわゆるマシンルームレスエレベータが種々開発され提案されている。
このようなマシンルームレスエレベータのなかには、昇降路内において乗りかごが昇降するために必要な空間およびこの空間の昇降路内上下方向の延長部分（以下、昇降空間と言う）と、昇降路の内壁面と、の間の隙間内に巻上機を配設するものがある。
【０００３】
例えば、図９に示したマシンルームレスエレベータにおいては、昇降路１の内部に配設された左右一対のかご側ガイドレール２Ｌ，２Ｒに案内されて乗りかご３が昇降するとともに、前後一対の錘側ガイドレール４ｆ，４ｒに案内されて釣合錘５が昇降する。
昇降路１の頂部において右内壁面１ａに取り付けられた円盤状の巻上機６は、左右方向に水平に延びる駆動軸を有している。これにより、トラクションシーブ７は左右方向に水平に延びる回転軸の回りに回転する。
トラクションシーブ７に巻き付けられた巻き上げロープ８のうち乗りかご３側に垂下する部分８ａは、乗りかご１の下部に設けられた左右一対のかご下シーブ３ａ，３ｂに巻回された後に上方に延び、乗りかご３をいわゆる２：１ローピングで懸架しつつ、その先端８ｂが図示されないヒッチ部によって昇降路１の頂部に固定される。
同様に、トラクションシーブ７に巻き付けられた巻き上げロープ８のうち釣合錘５側に垂下する部分８ｃは、釣合錘５の上部に設けられた錘側シーブ５ａに巻回された後に上方に延び、釣合錘５をいわゆる２：１ローピングで懸架しつつ、その先端８ｄが図示されないヒッチ部によって昇降路１の頂部に固定される。
【０００４】
トラクションシーブ７に巻き付けられた巻き上げロープ８のうち乗りかご３側に垂下する部分８ａは、乗りかご１の下部に設けられた左右一対のかご下シーブ３ａ，３ｂに巻回された後に上方に延び、乗りかご３をいわゆる２：１ローピングで懸架しつつ、その先端８ｂが図示されないヒッチ部によって昇降路１の頂部に固定される。
同様に、トラクションシーブ７に巻き付けられた巻き上げロープ８のうち釣合錘５側にに垂下する部分８ｃは、釣合錘５の上部に設けられた錘側シーブ５ａに巻回された後に上方に延び、釣合錘５をいわゆる２：１ローピングで懸架しつつ、その先端８ｄが図示されないヒッチ部によって昇降路１の頂部に固定される。
【０００５】
【発明が解決しようとする課題】
ところで、図９に示した従来のマシンルームレスエレベータにおいては、乗りかご３の重量増加に対応して巻上機６を大容量化すると、巻上機６の軸線方向寸法の増加に伴ってトラクションシーブ７が乗りかご１側に接近してしまう。これにより、乗りかご１の大きさを一定とすると、昇降路１の左右方向寸法Ｗの値を大きくせざるを得ない。
また、昇降路１の内部において巻き上げロープ８により乗りかご３を懸架する位置は、巻上機６の直径と前後一対の錘側ガイドレール４ｆ，４ｒ間の前後方向寸法とによって定まる。これにより、巻上機６の大容量化に伴ってその直径が増加すると、ロープ８により乗りかご３を懸架する位置が制限されてしまう。
【０００６】
そこで本発明の目的は、上述した従来技術が有する問題点を解消し、巻上機を大容量化する際にも昇降路の寸法を増加させる必要がなく、かつ巻き上げロープによって乗りかごを懸架する位置を自在に選択することが可能なマシンルームレスエレベータの提供を目的とする。
【０００７】
【課題を解決するための手段】
上記の課題を解決する本発明のマシンルームレスエレベータは、
昇降路内を昇降する乗りかごと、
トラクションシーブを有し、このトラクションシーブのシーブ面が水平に配置され、前記乗りかごを昇降させる為の駆動力を発する前記昇降路内に設けられた巻上機と、
前記乗りかごの一側面側に、前記乗りかごと離間して配置される釣合錘と、
巻上機に懸架され、一端が前記乗りかご側に多端が前記釣合錘側に導かれるロープとを備えることを特徴としている。
【０００８】
すなわち、本発明のマシンルームレスエレベータにおいては、トラクションシーブのシーブ面が水平に配置される、言い換えると巻上機の駆動軸が上下方向に延びるので、巻上機を大容量化する際に巻上機の軸線方向寸法が大きくなっても、昇降路の寸法を増加させる必要がない。
また、巻上機の駆動軸が上下方向に延びるので、昇降路の水平断面図で見たときに巻上機が占める面積が大幅に小さくなる。これにより、巻上機を配設する位置の自由度が高まるから、巻き上げロープによって乗りかごを懸架する位置を自在に選択することが可能となる。
【０００９】
なお、本発明のマシンルームレスエレベータには、巻き上げロープがトラクションシーブから延びる方向を案内するための水平に延びる回転軸の回りに回転自在な一対の案内シーブをさらに設けることができる。
すなわち、かご側および錘側にそれぞれ案内シーブを設けることにより、上下方向に延びる軸線の回りにトラクションシーブが回転するようにして巻上機とトラクションシーブとを一体化し、昇降路の水平断面図で見たときに巻上機およびトラクションシーブが占める面積を小さくすることができる。
さらに、かご側案内シーブおよび錘側案内シーブの位置を変化させることによって、巻き上げロープによって乗りかごを懸架する位置を自在に選択することが可能となる。
【００１０】
さらに、本発明のマシンルームレスエレベータにおいては、トラクションシーブが水平方向に延びる軸線の回りに回転するようにするとともに、その駆動軸が上下方向に延びるように配設された巻上機の駆動力をトラクションシーブに伝達するための駆動力伝達装置をさらに設けることもできる。
これにより、その駆動軸が上下方向に延びるように巻上機を配設しつつ、水平に延びる軸線の回りにトラクションシーブを回転させることができるから、従来通りに巻き上げロープを引き回すことができる。
また、駆動力伝達装置の形状および寸法を変更することによってトラクションシーブを任意の位置に配設することができるから、巻き上げロープにより乗りかごを懸架する位置を自在に選択することが可能となる。
【００１１】
【発明の実施の形態】
以下、図１乃至図８を参照し、本発明に係るマシンルームレスエレベータの各実施形態について詳細に説明する。
なお、以下の説明においては、乗りかごのドアが開閉する方向を左右方向と、乗客が乗りかごに出入りする方向を前後方向と、鉛直方向を上下方向と言う。
また、同一の部分には同一の参照符号を用いてその説明を省略する。
【００１２】
第１実施形態
まず最初に図１乃至図４を参照して第１実施形態のマシンルームレスエレベータ１００について説明すると、昇降路１の内部に配設された左右一対のかご側ガイドレール２Ｌ，２Ｒに案内されて乗りかご３が昇降するとともに、乗りかご３の右側面３Ｒ側に配設された前後一対の錘側ガイドレール４ｆ，４ｒに案内されて釣合錘５が昇降する。
【００１３】
昇降路１の頂部には、鉛直方向に延びる駆動軸を有した円柱状の巻上機１０と、この巻上機１０によって駆動されて同軸な軸線の回りに回転するトラクションシーブ１１とが配設されている。これにより、トラクションシーブ１１の上面は昇降路１の内部において昇降路の天井面に対向しつつ水平に延びている。また、巻上機１０の外径寸法とトラクションシーブ１１の外径寸法とは略同一である。また、巻上機１０およびトラクションシーブ１１は、昇降路１の内部において乗りかご３を実際に昇降させるために必要とする空間およびその上下方向の延長部分（以下、昇降空間と言う）と昇降路１の右内壁面１ａとの間の隙間Ｓの内側に配設されている。
なお、巻上機１０とトラクションシーブ１１とは一体的に構成され、巻上機１０は昇降路壁もしくはガイドレール２Ｒもしくは４ｆもしくは４ｒに直接、または昇降路壁もしくはガイドレール２Ｒもしくは４ｆもしくは４ｒに固設されたブラケットに固定される。なお、巻上機１０を支持するために、複数のガイドレールを適宜選択して、これら複数のガイドレールにまたがってブラケットを設置することもできる。
【００１４】
トラクションシーブ１１と右側のかご側ガイドレール２Ｒとの間には、左右方向に水平に延びる軸線の回りに回転自在なかご側案内シーブ（第２案内シーブ）１２が設けられている。また、右側のかご側ガイドレール２Ｒの後方には、左右方向に対してわずかに傾斜しつつ水平に延びる軸線の回りに回転自在な錘側案内シーブ（第１案内シーブ）１３が設けられている。これらのかご側案内シーブ１２および錘側案内シーブ１３は、前後方向から見たときにほぼトラクションシーブ１１の外形線の内側に位置するように配設されている。
なお、これらのかご側案内シーブ１２および錘側案内シーブ１３は、かご側ガイドレール２Ｒや錘側ガイドレール４ｆ，４ｒに固定したブラケットによって回転自在に支持することができる。
【００１５】
トラクションシーブ１１に巻き付けられた巻き上げロープ１４のうち、乗りかご３側において後方に向かって水平に延び出る部分１４ａは、かご側案内シーブ１２に巻き付けられて垂下するとともに、左右一対のかご下シーブ３ａ，３ｂ間で水平に延びた後（１４ｂ）、上方に延びてその先端１４ｃが図示されないヒッチ部により昇降路１の頂部に固定され、乗りかご３をいわゆる２：１ローピングで懸架している。
なお、巻き上げロープ１４のうち乗りかご３の下方において水平に延びる部分１４ｂは、鉛直方向上方から見たときに乗りかご３の重心位置の下方を通過するように配設することが好ましい。
【００１６】
また、トラクションシーブ１１に巻き付けられた巻き上げロープ１４のうち、昇降路１の右内壁面１ａ側において釣合錘５側に向かって後方に水平に延び出る部分１４ｄは、錘側案内シーブ１３に巻き付けられて垂下した後（１４ｅ）、錘側シーブ５ａに巻き付けられてから上方に延びてその先端１４ｆが図示されないヒッチ部により昇降路１の頂部に固定され、釣合錘５をいわゆる２：１ローピングで懸架している。
この錘側シーブ５ａは、その平坦部が乗りかご３の側面３Ｒと略平行もしくは図１に示すように側面３Ｒに対し所定角度を持って釣合錘５に設けられる。この所定角度は、錘側案内シーブ１３からのロープ１４が支障（無理なテンションが）無く錘側シーブ５ａに巻かれるような角度である。
このような構成による錘側シーブ５ａは、トラクションシーブ１１に対する巻き上げロープ１４の巻き付け量を増加させ、両者間に生じる摩擦力を増加させることができる。また、錘側案内シーブ１３の位置およびその回転軸線の傾斜を選択することにより、巻き上げロープ１４によって釣合錘５を懸架する位置を自在に選択することができる。
【００１７】
すなわち、本第１実施形態のマシンルームレスエレベータ１００においては、巻上機１０の駆動軸１０ａが上下方向に延びているので、巻上機１０を大容量化するために巻上機１０の軸線方向長さが上下方向に長くなっても、昇降路１の寸法を増加させる必要がない。
また、巻上機１０の駆動軸１０ａが上下方向に延びているので、昇降路１の水平断面図で見たときに巻上機１０が占める面積が大幅に小さい。これにより、巻上機１０を昇降路１の内部に配設する位置の自由度が高まるから、巻き上げロープ１４によって乗りかご３を懸架する位置を自在に選択することが可能となる。
【００１８】
さらに、水平に延びる軸線の回りに回転自在なかご側案内シーブ１２および錘側案内シーブ１３を設けたので、上下方向に延びる軸線の回りにトラクションシーブ１１を回転させることができるから、巻上機１０とトラクションシーブ１１とを同軸に一体化し、昇降路１の内部においてそれらが占める空間を小さくすることができる。
また、かご側案内シーブ１２および錘側案内シーブ１３を配設する位置を選択することにより、巻き上げロープ１４によって乗りかご３を懸架する位置を自在に選択することができる。
さらに、錘側案内シーブ１３を乗りかご３の右側面３Ｒに近づけているので、トラクションシーブ１１に対する巻き上げロープ１４の巻き付け角度を増加させて、両者間に生じる摩擦力を増加させることができる。
【００１９】
次に、図５を参照して第１実施形態のマシンルームレスエレベータ１００の第１変形例について説明する。
この第１変形例のマシンルームレスエレベータ１１０においては、錘側案内シーブ１３の位置が変更されて昇降路１の右内壁面１ａに近づけられているとともに、錘側案内シーブ１３の回転軸線が左右方向に延びている。さらに、釣合錘５に設けた錘側シーブ５ａは、その回転軸線が前後方向に延びるように配設されている。
このような構成とすると、昇降空間と昇降路１の右内壁面１ａとの間の隙間Ｓの内部において、巻き上げロープ１４によって釣合錘５を懸架する位置を自在に選択することができる。
【００２０】
次に、図６および図７を参照して第１実施形態のマシンルームレスエレベータ１００の第２変形例および第３変形例について説明する。
図６に示した第２変形例のマシンルームレスエレベータ１２０においては、巻上機１０の駆動軸１０ａが、上下方向に延びてはいるもののトラクションシーブ１１が後方に向かうように鉛直方向に対して傾くように延びている。
これに対して、図７に示した第３変形例のマシンルームレスエレベータ１３０においては、巻上機１０の駆動軸１０ａが、上下方向に延びてはいるもののトラクションシーブ１１が前方に向かうように鉛直方向に対して傾いて延びている。
このような構成とすることにより、巻上機１０とトラクションシーブ１１、かご側案内シーブ１２および錘側案内シーブ１３の上下方向位置を自在に選択することができる。
また、巻上機１０の駆動軸１０ａの傾斜角度を適宜選択することにより、トラクションシーブ１１の上面がかご側案内シーブ１２若しくは錘側案内シーブ１３の上端部よりも下方に位置するように構成することもできる。
【００２１】
第２実施形態
次に、図８を参照して第２実施形態のマシンルームレスエレベータ２００について説明する。
第２実施形態のマシンルームレスエレベータ２００は、上述した第１実施形態のマシンルームレスエレベータ１００に対して、トラクションシーブおよび巻き上げロープの配置が異なっている。
【００２２】
巻上機２０は、その回転軸２０ａが鉛直方向に延びるように右側のかご側ガイドレール２Ｒに固定されるとともに、駆動力伝達装置２１を介してトラクションシーブ２２に接続されている。
駆動力伝達装置２１は、互いに噛み合う一対のはす歯歯車を内蔵しており、その駆動力伝達軸２１ａは後方に向かって水平に延びている。
これにより、トラクションシーブ２２は、駆動力伝達装置２１を介して巻上機２０によって回転駆動され、前後方向に水平に延びる軸線の回りに回転する。
【００２３】
トラクションシーブ２２に巻き付けられた巻き上げロープ２３のうち、乗りかご３側に垂下する部分２３ａは、左右一対のかご下シーブ３ａ，３ｂ間で水平に延びた後（２３ｂ）、上方に延びてその先端２３ｃが図示されないヒッチ部により昇降路１の頂部に固定されている。
また、トラクションシーブ２２から釣合錘５側に垂下する部分２３ｄは、錘側シーブ５ａに巻き付けられてから上方に延びてその先端２３ｅが図示されないヒッチ部により昇降路１の頂部に固定されている。
【００２４】
すなわち、本第２実施形態のマシンルームレスエレベータ２００においては、巻上機２０の回転軸が上下方向に延びているので、巻上機２０を大容量化するために巻上機２０の軸線方向長さが長くなっても、昇降路１の寸法を増加させる必要がない。
また、駆動力伝達装置２１の形状および寸法、特に駆動力伝達軸２１ａの長さを変更することによりトラクションシーブ２２を最適な位置に配設することができるから、巻き上げロープ２３によって乗りかご３を懸架する位置を自在に選択することが可能となる。
【００２５】
以上、本発明に係るマシンルームレスエレベータの各実施形態ついて詳しく説明したが、本発明は上述した実施形態によって限定されるものではなく、種々の変更が可能であることは言うまでもない。
例えば、上述した各実施形態においては、かご側シーブを乗りかごの下部に設けているが、かご側シーブを乗りかごの上部に設けることもできる。
また、上述した各実施形態においては、巻上機を昇降路の側壁若しくはかご側ガイドレールに固定しているが、錘側ガイドレールにも固定することができる。
【００２６】
【発明の効果】
以上の説明から明らかなように、本発明のマシンルームレスエレベータにおいては、巻上機の駆動軸が上下方向に延びるので、巻上機を大容量化する際に巻上機の軸線方向寸法が大きくなっても昇降路の寸法を増加させる必要がない。
また、巻上機の駆動軸が上下方向に延びるので、昇降路の水平断面図で見たときに巻上機が占める面積が大幅に小さくなり巻上機を配設する位置の自由度が高まるから、巻き上げロープによって乗りかごを懸架する位置を自在に選択することが可能となる。
【図面の簡単な説明】
【図１】本発明に係る第１実施形態のマシンルームレスエレベータを示す斜視図。
【図２】図１に示したマシンルームレスエレベータを昇降路と共に示す平面図。
【図３】図１に示したマシンルームレスエレベータの正面図。
【図４】図１に示したマシンルームレスエレベータの右側面図。
【図５】図１に示したマシンルームレスエレベータの第１変形例を示す平面図。
【図６】図１に示したマシンルームレスエレベータの第２変形例を示す右側面図。
【図７】図１に示したマシンルームレスエレベータの第２変形例を示す右側面図。
【図８】本発明に係る第２実施形態のマシンルームレスエレベータを示す斜視図。
【図９】従来のマシンルームレスエレベータを昇降路と共に示す平面図。
【符号の説明】
１　昇降路
２Ｌ，２Ｒ　かご側ガイドレール
３　乗りかご
３ａ，３ｂ　かご下シーブ
４　錘側ガイドレール
５　釣合錘
５ａ　錘側シーブ
６　巻上機
７　トラクションシーブ
８　巻き上げロープ
１０　巻上機
１０ａ　駆動軸
１１　トラクションシーブ
１２　かご側案内シーブ
１３　錘側案内シーブ
１４　巻き上げロープ
２０　巻上機
２０ａ　駆動軸
２１　駆動力伝達装置
２１ａ　駆動力伝達軸
２２　トラクションシーブ
２３　巻き上げロープ
１００　第１実施形態のマシンルームレスエレベータ
１１０　第１変形例のマシンルームレスエレベータ
１２０　第２変形例のマシンルームレスエレベータ
１３０　第３変形例のマシンルームレスエレベータ
２００　第２実施形態のマシンルームレスエレベータ
【図１】
2004018170.tif 000003
【図２】
2004018170.tif 000004
【図３】
2004018170.tif 000005
【図４】
2004018170.tif 000006
【図５】
2004018170.tif 000007
【図６】
2004018170.tif 000008
【図７】
2004018170.tif 000009
【図８】
2004018170.tif 000010
【図９】
2004018170.tif 000011